(57)【要約】【課題】刃面上に備える複数の外刃の中に仕上げ用ネット刃を備えることで短く仕上げることが可能であり、且つこの刃面を顎先等に押し当てた際であっても使用者に痛みを与えることがなく、しかも隣接するネット刃間への肌の入り込みを防止して肌当たりを良くすることのできる電気かみそりを提供する。【解決手段】モータを内蔵する本体部１と、本体部１上端の刃面Ｓに並設される複数の外刃４と、各外刃４の内側を摺動するようにモータにより駆動される内刃とを具備する電気かみそりにおいて、上記刃面Ｓには複数の外刃４として、第１のネット刃４ａと、仕上げ用ネット刃４ｂと、第２のネット刃４ｄとがこの順に並設されており、且つ第１のネット刃４ａと仕上げ用ネット刃４ｂとの間、及び第２のネット刃４ｄと仕上げ用ネット刃４ｂとの間には、それぞれ肌ガード部材６とスリット刃４ｃとが配してある。【選択図】図１
2008142276.tif 000002
【特許請求の範囲】
【請求項１】
モータを内蔵する本体部と、本体部上端の刃面に並設される複数の外刃と、各外刃の内側を摺動するようにモータにより駆動される内刃とを具備する電気かみそりにおいて、上記刃面には複数の外刃として、第１のネット刃と、仕上げ用ネット刃と、第２のネット刃とがこの順に並設されており、且つ第１のネット刃と仕上げ用ネット刃との間、及び第２のネット刃と仕上げ用ネット刃との間には、それぞれ肌ガード手段が配してあることを特徴とする電気かみそり。
【請求項２】
肌ガード手段は、上方への付勢力を伴って上下動自在に配されていることを特徴とする請求項１に記載の電気かみそり。
【請求項３】
仕上げ用ネット刃は、上方への付勢力を伴って上下動自在に配されており、且つ一対の肌ガード手段の少なくとも一方は、仕上げ用ネット刃と一体に形成されていることを特徴とする請求項２に記載の電気かみそり。
【請求項４】
一対の肌ガード手段の少なくとも一方を、該肌ガード手段の沈み込みに連動して仕上げ用ネット刃の上方への付勢力を低減させるばね機構に連結させたことを特徴とする請求項２に記載の電気かみそり。
【請求項５】
一対の肌ガード手段の少なくとも一方は、スリット刃により形成していることを特徴とする請求項１〜４のいずれか一項に記載の電気かみそり。
【請求項６】
一対の肌ガード手段のうち、使用時に後側に位置させる方の肌ガード手段を、スリット刃により形成していることを特徴とする請求項５に記載の電気かみそり。
【請求項７】
一対の肌ガード手段の少なくとも一方は、ローラにより形成していることを特徴とする請求項１〜４のいずれか一項に記載の電気かみそり。
【請求項８】
一対の肌ガード手段の少なくとも一方は、コームにより形成していることを特徴とする請求項１〜４のいずれか一項に記載の電気かみそり。
【請求項９】
仕上げ用ネット刃は、刃孔を囲んで形成される桟部の刃厚を部分的に薄く設けたものであることを特徴とする請求項１〜８のいずれか一項に記載の電気かみそり。
【請求項１０】
仕上げ用ネット刃は、外刃の並設方向の刃幅を、第１及び第２のネット刃の刃幅よりも小さく設けたものであることを特徴とする請求項１〜９のいずれか一項に記載の電気かみそり。
【発明の詳細な説明】
【技術分野】
【０００１】
本発明は、複数の外刃を備える電気かみそりに関するものである。
【背景技術】
【０００２】
外刃に対して内刃を摺動させる電気かみそりにおいて、複数の外刃を刃面上に配置したものが従来から提案されている。例えば特許文献１には、三つのネット刃を刃面上に並設させた構成のものが提案されている。上記電気かみそりにあっては、三つのネット刃のうち端にある一つのネット刃を、曲率半径の小さな仕上げ用ネット刃として上方に突出させてある。したがって、この仕上げ用ネット刃が肌に当たる際の圧力が大きくなり、使用時に痛みを感じさせることがあるといった問題があった。
【０００３】
これに対して特許文献２には、刃面上に並設する三つのネット刃のうち、中央のネット刃の刃厚を小さくして仕上げ用にすることが提案されている。しかし、上記電気かみそりであっても、例えば顎先等の肌の凸部に刃面を押し当てた際には中央の仕上げ用ネット刃が肌に強く当たり、やはり使用時の刺激は大きくなってしまう。
【０００４】
また、引用文献１，２のいずれにおいても、隣接するネット刃間に肌が入り込んで滑りが悪くなり、肌当たりが低下するといった問題がある。
【特許文献１】特開平８−３１８０５７号公報
【特許文献１】特許第２８４１３１０号公報
【発明の開示】
【発明が解決しようとする課題】
【０００５】
本発明は上記問題点に鑑みて発明したものであって、刃面上に備える複数の外刃の中に仕上げ用ネット刃を備えることで短く仕上げることが可能であり、且つこの刃面を顎先等に押し当てた際であっても使用者に痛みを与えることがなく、しかも隣接するネット刃間への肌の入り込みを防止して肌当たりを良くすることのできる電気かみそりを提供することを課題とするものである。
【課題を解決するための手段】
【０００６】
上記課題を解決するために本発明は、モータ１８を内蔵する本体部１と、本体部１上端の刃面Ｓに並設される複数の外刃４と、各外刃４の内側を摺動するようにモータ１８により駆動される内刃１５とを具備する電気かみそりにおいて、上記刃面Ｓには複数の外刃４として、第１のネット刃４ａと、仕上げ用ネット刃４ｂと、第２のネット刃４ｄとがこの順に並設されており、且つ第１のネット刃４ａと仕上げ用ネット刃４ｂとの間、及び第２のネット刃４ｄと仕上げ用ネット刃４ｂとの間には、それぞれ肌ガード手段が配してあることを特徴としたものとする。
【０００７】
上記構成の電気かみそりにあっては、仕上げ用ネット刃４ｂによって体毛を速やかに短く剃ることができ、且つ肌ガード手段によって、顎先等の凸部であっても仕上げ用ネット刃４ｂに肌が強く当たることや、第１及び第２のネット刃４ａ，４ｄと仕上げ用ネット刃４ｂとの間に肌が入り込むことを防ぐことができ、使用者に痛みを与えることのない良好な肌当たりが得られる。加えて、この肌ガード手段によって仕上げ用ネット刃４ｂの損傷を防止することもできる。
【０００８】
肌ガード手段は、上方への付勢力を伴って上下動自在に配されていることが好適である。このようにすることで、この肌ガード手段の肌に対する接触を柔らかにすることができ、肌当たりを更に向上させることができる。
【０００９】
また仕上げ用ネット刃４ｂは、上方への付勢力を伴って上下動自在に配されており、且つ一対の肌ガード手段の少なくとも一方は、仕上げ用ネット刃４ｂと一体に形成されていることも好適である。このようにすることで、簡素で低コストな構成により肌を効果的に保護することができる。また少なくとも一方の肌ガード手段は仕上げ用ネット刃４ｂと一体に上下動するので、仕上げ用ネット刃４ｂに対する肌の接触を安定的に設けて低刺激化を図ることができる。
【００１０】
また一対の肌ガード手段の少なくとも一方を、該肌ガード手段の沈み込みに連動して仕上げ用ネット刃４ｂの上方への付勢力を低減させるばね機構に連結させることも好適である。このようにすることで、仕上げ用ネット刃４ｂの付勢力を低減させて肌当たりを良くすることができる。
【００１１】
また、一対の肌ガード手段の少なくとも一方は、スリット刃４ｃにより形成していることも好適である。このようにすることで、肌ガード手段としての機能に加えて、癖毛や長毛を速やかに切断して仕上げ用ネット刃４ｂに導入させ易くするといった機能も発揮できるようになる。
【００１２】
このとき、一対の肌ガード手段のうち、使用時に後側に位置させる方の肌ガード手段を、スリット刃４ｃにより形成していることが好適である。このようにすることで、刃面Ｓを手前側から後側に滑らせて鼻下等を剃る場合に、スリット刃４ｃにより切断した体毛を速やかに仕上げ用ネット刃４ｂに導入させることが可能となる。
【００１３】
また、一対の肌ガード手段の少なくとも一方は、ローラ４１やコーム４３により形成していることも好適である。ローラ４１を用いることで刃面Ｓを滑らせ易くなり、またコーム４３を用いることで仕上げ用ネット刃４ｂへの癖毛や長毛の導入が容易となる。
【００１４】
また仕上げ用ネット刃４ｂは、刃孔５を囲んで形成される桟部２５の刃厚Ｔを部分的に薄く設けたものであることや、外刃４の並設方向の刃幅Ｗｂを第１及び第２のネット刃４ａ，４ｄの刃幅Ｗａ，Ｗｄよりも小さく設けたものであることが好適である。このようにすることで、癖毛や寝た状態の体毛であっても仕上げ用ネット刃４ｂにより短く仕上げることが容易となる。
【００１５】
なお、以上述べた各構成は、本発明の趣旨を逸脱しない限り適宜組合せ可能である。
【発明の効果】
【００１６】
発明は、刃面上に備える複数の外刃の中に仕上げ用ネット刃を備えることで短く仕上げることが可能であり、且つこの刃面を顎先等に押し当てた際であっても使用者に痛みを与えることがなく、しかも隣接するネット刃間への肌の入り込みを防止して肌当たりを良くすることができるという効果を奏する。
【発明を実施するための最良の形態】
【００１７】
以下、本発明を添付図面に示す実施形態に基づいて説明する。本発明の実施形態における一例の電気かみそりの全体は図３に示すようなものであり、電池（図示せず）を内蔵するとともに正面にスイッチ部４０を露出させてあるグリップ部２と、このグリップ部２の長手方向端部に揺動自在に接続させたヘッド部３とで、本体部１の主体を成している。以下、このグリップ部２に対してヘッド部３が接続してある方向を上方向とし、グリップ部２を把持してヘッド部３の刃面Ｓにものでありト刃のうち使用時に後側に位置する方に働くを肌に当てる際の手前側を前側、この反対側を後側として説明する。なお、通常の使用時に使用者がヘッド部３の刃面Ｓを肌に当てながら該ヘッド部３を動かす方向（即ち、剃り方向）は前後方向であり、後述の如く、各外刃４の短手方向Ｙ（内刃１５の往復摺動方向と直交する方向）がこの剃り方向となる。
【００１８】
図１等に示すように、ヘッド部３に装着される外刃カセット３０の上端面には、多数の外刃４が前後方向に一列に配設される刃面Ｓを形成してある。外刃４として具体的には、前側から後側へと向けて、第１のネット刃４ａ、仕上げ用ネット刃４ｂ、スリット刃４ｃ、第２のネット刃４ｄが並設されている。
【００１９】
ネット刃４ａ，４ｂ，４ｄはいずれも、上方が凸となるように短手方向Ｙに沿ってＵ字状に湾曲させた長板状部材に多数の体毛導入用の刃孔５（図１０，図１１参照）を穿設したものであり、第１及び第２のネット刃４ａ，４ｄの刃幅Ｗａ，Ｗｄに比較して仕上げ用ネット刃４ｂはその刃幅Ｗｂを小さく設けてある（図２参照）。なお、この刃幅Ｗａ，Ｗｂ，Ｗｄは、各ネット刃４ａ，４ｂ，４ｄにおける短手方向Ｙ（換言すれば、外刃４の並設方向である前後方向）の幅のことである。このように、仕上げ用ネット刃４ｂは他のネット刃４ａ，４ｂに比して刃幅Ｗｂ、つまり湾曲される曲率半径を小さく設けているので、表面に押し付けた肌を刃孔５から大きく内側に突出させて体毛を短く剃ることが可能になっている。更に、仕上げ用ネット刃４ｂは、第１及び第２のネット刃４ａ，４ｄよりも少なくとも部分的に薄く形成してあるが、この点については後述する。
【００２０】
スリット刃４ｃは、その短手方向Ｙに沿ってコ字状に湾曲させた長板状部材に、その平坦な上壁から側壁に至る体毛導入用の多数のスリットを穿設したものである。仕上げ用ネット刃４ｂを挟んでスリット刃４ｃと反対側となる位置には、肌ガード部材６が取り付けてあり、この仕上げ用ネット刃４ｂを前後に挟むスリット刃４ｃと肌ガード部材６とによって、曲率半径の小さな仕上げ用ネット刃４ｂに肌が強く押し付けられることを効果的に防止している。
【００２１】
図４等に示すように、外刃４を成す各ネット刃４ａ，４ｂ，４ｄ及びスリット刃４ｃは、それぞれ専用の外刃枠７ａ，７ｂ，７ｄ，７ｃに取り付けられており、更に第１及び第２のネット刃４ａ，４ｄが取り付けられる外刃枠７ａ，７ｄには、それぞれ前側及び後側の外刃カバー８ａ，８ｄが取り付けられている。この前側及び後側の外刃カバー８ａ，８ｄと、両外刃カバー８ａ，８ｄに挟まれる二つの外刃枠７ｂ,７ｃとは、それぞれに設けてあるリブ９ａ，９ｂ，９ｃ，９ｄを外刃フレーム１０の上下溝１１ａ，１１ｂ，１１ｃ，１１ｄに係合させることで、独立して上下動自在に保持させている。これにより外刃カセット３０が構成される。
【００２２】
各ネット刃４ａ，４ｂ，４ｄ及びスリット刃４ｃを上下動自在に保持することとなる外刃フレーム１０は、ヘッド部３の両側部に設けた着脱釦１２によって、ヘッド部３の上端に着脱自在に装着される。外刃フレーム１０即ち外刃カセット３０の装着により、ヘッド部３の駆動桿１３ａ，１３ｂ，１３ｃ，１３ｄを露出させてある上端面（図５参照）の上方には、密閉された内刃収納空間が形成される。
【００２３】
内刃１５は、外刃４を成す各ネット刃４ａ，４ｂ，４ｄ及びスリット刃４ｃに対して専用のものが設置される。即ち図４に示すように、各ネット刃４ａ，４ｂ，４ｄの下方においては、対応するネット刃４ａ，４ｂ，４ｄの湾曲に沿うＵ字状の内刃１５ａ，１５ｂ，１５ｄが、基台１４ａ，１４ｂ，１４ｄに固定した状態で配してある。またスリット刃４ｃの下方においては、このスリット刃４ｃの湾曲に沿うコ字状のスリット内刃１５ｃが基台１４ｃに固定した状態で配してある。
【００２４】
これら各基台１４ａ，１４ｂ，１４ｃ，１４ｄは、ヘッド部３の上端面から突出させてある専用の駆動桿１３ａ，１３ｂ，１３ｃ，１３ｄに装着される。内刃１５ａ，１５ｂ，１５ｄの基台１４ａ，１４ｂ，１４ｄが装着される駆動桿１３ａ，１３ｂ，１３ｄは、内部に備えてある押し上げばね１６ａ，１６ｂ，１６ｄの復元力により、各内刃１５ａ，１５ｂ，１５ｄに上方への付勢力を与えて各ネット刃４ａ，４ｂ，４ｄ内面に押し付ける。またスリット内刃１５ｃの基台１４ｃは、左右一対のスリット押し上げばね１７を介して外刃枠７ｃに弾性的に連結され、このスリット押し上げばね１７の復元力によりスリット内刃１５ｃに付勢力を与えてスリット刃４ｃの内面に押し付ける。スリット内刃１５ｃ用の駆動桿１３ｃは、外刃フレーム１０がヘッド部３に装着される際に基台１４ｃの溝部に連結されるようになっている。
【００２５】
ヘッド部３内には、各内刃１５ａ，１５ｂ，１５ｃ，１５ｄを往復駆動するためのモータ１８として、図２や図７に示すようなリニアモータを内蔵している。このモータ１８は、第１のネット刃４ａ及び仕上げ用ネット刃４ｂと対応する内刃１５ａ，１５ｂに連結される一対の駆動桿１３ａ，１３ｂを一体に往復駆動させるとともに、第２のネット刃４ｄと対応する内刃１５ｄに連結される駆動桿１３ｄを、前記一対の駆動桿１３ａ，１３ｂとは逆方向に往復駆動させる。スリット内刃１５ｃに連結される駆動桿１３ｃは駆動桿１３ｄから前方に延設されており、駆動桿１３ｄと一体に往復駆動される。
【００２６】
したがって、グリップ部２のスイッチ部４０を操作してモータ１８をオンにすると、前側の内刃１５ａ，１５ｂが駆動桿１３ａ，１３ｂを介して第１のネット刃４ａ及び仕上げ用ネット刃４ｂの内面に往復摺動するとともに、これと反対方向に向けて、後側のスリット内刃１５ｃ及び内刃１５ｄが駆動桿１３ｃ，１３ｄを介してスリット刃４ｃ及び第２のネット刃４ｄの内面に往復摺動するものである。
【００２７】
また、所定の上下範囲内にて上下動自在に設置される各ネット刃４ａ，４ｂ，４ｄ及びスリット刃４ｃには、それぞれ上方への付勢力が付与されている。各ネット刃４ａ，４ｂ，４ｄにおいては、その内面に当たる各内刃１５ａ，１５ｂ，１５ｄを上方に押し上げる押し上げばね１６ａ，１６ｂ，１６ｄがこの付勢手段として機能し、スリット刃４ｃにおいては、隣接する仕上げ用ネット刃４ｂの外刃枠７ｂとの間に配される連結ばね１９（図４，図６参照）がこの付勢手段として機能する。
【００２８】
肌ガード部材６は、仕上げ用ネット刃４ｂを固定する外刃枠７ｂと一体に形成されており、この仕上げ用ネット刃４ｂ及び外刃枠７ｂと一体に、上方への付勢力を伴って上下動自在に配された構造となっている。
【００２９】
図６には、前側の二つのネット刃４ａ，４ｂ（即ち、第１のネット刃４ａと仕上げ用ネット刃４ｂ）に働く上方への付勢力を低減させるように働くばね機構を示している。このばね機構は、圧縮状態で配される前述の連結ばね１９と、仕上げ用ネット刃４ｂと第１のネット刃４ａとの間に圧縮状態で配される連結ばね２０とで主体を成している。連結ばね１９は、仕上げ用ネット刃４ｂを固定する外刃枠７ｂの下端部から後方に延設されるアーム２１の上面にその下端を係止させ、且つスリット刃４ｃを固定する外刃枠７ｃの下面にその上端を当接させたものである。また連結ばね２０は、第１のネット刃４ａを固定する外刃枠７ａの下端部から後方に延設されるアーム２２の上面にその下端を係止させ、且つ仕上げ用ネット刃４ｂを固定する外刃枠７ｂの下面にその上端を当接させたものである。
【００３０】
ここで、初期状態（即ち、肌の押し当てによる下方への押し下げ力が働いていない状態）において連結ばね１９が発生させる伸張方向の弾性力は、連結ばね２０が発生させる伸張方向の弾性力よりも大きくなるように設定してある。また、各押し上げばね１６ａ，ｂ，ｄが各ネット刃４ａ，４ｂ，４ｄを押し上げる付勢力は、連結ばね１９よりも大きな付勢力で略一致させてある。これにより仕上げ用ネット刃４ｂには、連結ばね１９の弾性力から連結ばね２０の弾性力を減じた弾性力が下向きに働き、第１のネット刃４ａには、連結ばね２０の弾性力が下向きに働く。
【００３１】
つまり本例にあっては上記ばね構造により、ヘッド部３の刃面Ｓを肌に押し付けた際に、最も後方に位置する第２のネット刃４ｄに働く上方への付勢力と比べて、第１のネット刃４ａと仕上げ用ネット刃４ｂに働く上方への付勢力の方が小さくなるように設けてある。各ネット刃４ａ，４ｂ，４ｄに働く付勢力のバランスをこのような大小関係にすれば、例えば肌に押し当てた刃面Ｓを後方に滑らせていく際に、最も付勢力が大きく抵抗の強い第２のネット刃４ｄにより肌を後方に引っ張り、体毛を肌表面から大きく引き出した状態として短く仕上げることが可能となる。
【００３２】
なお、上記ばね構造の連結ばね１９，２０は必ずしも両方を備える必要は無く、一方だけを備えるか或いは両方共に備えていない構成であっても、押し上げばね１６ａ，１６ｂ，１６ｃ等の種類や配置を調整することで、第２のネット刃４ｄに働く付勢力を、第１のネット刃４ａおよび仕上げ用ネット刃４ｂに働く付勢力よりも大きく設けることは可能である。
【００３３】
次に、各外刃４の初期状態における上下高さについて詳述する。図２に示すように、刃面Ｓの前端に位置する第１のネット刃４ａの初期状態での上下高さは、刃面Ｓの後端に位置する第２のネット刃４ｄの初期状態での上下高さよりも距離ｄ１（＝０．５〜３ｍｍ）だけ低い位置に配置してあり、仕上げ用ネット刃４ｂの初期状態での上下高さは、第２のネット刃４ｄの初期状態での上下高さと一致させてある。ここでの高さの基準となる上下方向は、各外刃４が上下動する方向である。
【００３４】
また、初期状態においてスリット刃４ｃは、第１のネット刃４ａよりも高く、且つ仕上げ用ネット刃４ｂ及び第２のネット刃４ｄよりは距離ｄ２（＜ｄ１）だけ低い位置に設けてある。更に、仕上げ用ネット刃４ｂと一体に上下動する肌ガード部材６は、仕上げ用ネット刃４ｂよりも距離ｄ３（＞ｄ２）だけ低く、且つ初期状態においては第１のネット刃４ａよりも高くなる位置に設けてある。
【００３５】
このような上下高さに設定しておくことで、例えば図８のように顎下を剃る場合には、刃面Ｓ上に並設される第１のネット刃４ａ、肌ガード部材６、仕上げ用ネット刃４ｂ、スリット刃４ｃ、第２のネット刃４ｄの全てが顎下の曲面に沿って略均等に当たり、それぞれに押し付け力を分散させながら剃り残し無く、短く仕上げることが可能となる。特に、刃幅Ｗｂが小さくて痛みを感じさせ易い仕上げ用ネット刃４ｂにおいては、前後に位置する肌ガード部材６とスリット刃４ｃとが押し付け力の分散手段として機能するので、安定的な押し付け力によって大きな刺激を生じさせることなく、顎下の髭を短く仕上げることが可能になっている。
【００３６】
一方、顎先や鼻下等の細部を剃る場合には、最も低く位置させてある手前側の第１のネット刃４ａが肌に当たることがなくなり、仕上げ用ネット刃４ｂ、スリット刃４ｃ、第２のネット刃４ｄを肌に当てながら細かく仕上げることが可能となる。特に、図９に示すように尖った顎先を小さな押し付け力で剃る場合には、第１及び第２のネット刃４ａ，４ｄが共に肌に当たらず、肌ガード部材６と仕上げ用ネット刃４ｂとスリット刃４ｃだけが肌に押し当たることとなるが、この場合でも仕上げ用ネット刃４ｂに対する押し当て力は両側の肌ガード部材６とスリット刃４ｃとに適度に分散されて痛みを感じることはない。スリット刃４ｃにあっても、肌ガード部材６と仕上げ用ネット刃４ｂとの間で分散された適度な押し付け力によって、癖毛や長毛を速やかに切断して適度な長さにした後で仕上げ用ネット刃４ｂに導入させることが可能である。
【００３７】
次に、各外刃４のうち一つが大きく下方に移動すれば隣接する他の外刃４を一体として下方に移動させる連動構造について詳述する。図７に示すように、第１のネット刃４ａを固定する外刃枠７ａの後壁からは連動リブ２３ａが突設してあり、仕上げ用ネット刃４ｂを固定する外刃枠７ｂの前壁からは、この連動リブ２３ａの下方に隙間を介して位置する受け部２４ｂを設けてある。また仕上げ用ネット刃４ｂを固定する外刃枠７ｂの後壁からは連動リブ２３ｂが突設してあり、スリット刃４ｃを固定する外刃枠７ｃの前壁からは、隙間を介してこの連動リブ２３ｂの下方に位置する突起状の受け部２４ｃを設けてある。更に第２のネット刃４ｄを固定する外刃枠７ｄの前壁からも同様の連動リブ２３ｄが突設してあり、スリット刃４ｃを固定する外刃枠７ｃの後壁からは、隙間を介してこの連動リブ２３ｄの下方に位置する同様の受け部２４ｃ′が設けてある。
【００３８】
この連動構造を備えたことで、例えば仕上げ用ネット刃４ｂ又は第２のネット刃４ｄだけが所定量を超えて下方に沈み込めば、連動リブ２３ｂと受け部２４ｃの当接又は連動リブ２３ｄと受け部２４ｃ′との当接により、スリット刃４ｃ及び外刃枠７ｃは下方へと一体に沈み込む。また第１のネット刃４ａだけが所定量を超えて下方へと沈み込めば、連動リブ２３ａと受け部２４ｂとの当接により、仕上げ用ネット刃４ｂ及び外刃枠７ｂは下方へと一体に沈み込む。また図示例では備えていないが、同様の構成により、スリット刃４ｃだけが所定量を超えて下方に沈み込むと仕上げ用ネット刃４ｂが一体に沈み込むように設けても良い。このような連動構造によって、スリット刃４ｃや仕上げ用ネット刃４ｂだけが大きく突出し、肌に強く接触して痛みを与えるという事態が防止される。
【００３９】
次に、仕上げ用ネット刃４ｂについて詳述する。図１０，図１１に示すように、仕上げ用ネット刃４ｂは、多数の刃孔５を一面に穿設することで、各刃孔５を複数の桟部２５で囲んだ形状となっている。なお、ここでの桟部２５とは、隣接する刃孔５との間にて桟状に形成される部分を意味する。多数の刃孔５のうち、少なくとも前後方向中央の領域（即ち、上が凸となるようにＵ字状に湾曲させた状態で上端側となる領域）に位置するものにおいては、各刃孔５を囲む複数の桟部２５のうち一部を、他の部分よりも刃厚Ｔが小さな（薄い）薄桟部２５ｂとして形成している（図１２参照）。
【００４０】
つまり、各刃孔５を囲む複数の桟部２５は、刃厚Ｔ（＝Ｔｂ）の小さな薄桟部２５ｂと刃厚Ｔ（＝Ｔａ）の大きな（厚い）厚桟部２５ａとで形成されている。具体的には、六角形状を成す刃孔５の周囲を囲む都合三対の桟部２５のうち、前後方向（即ち、外刃４の短手方向Ｙ）に沿って形成される一対の桟部２５を薄桟部２５ｂとし、左右方向（即ち、外刃４の長手方向Ｘ）に沿って形成される残り二対の桟部２５を厚桟部２５ａとしている。
【００４１】
厚桟部２５ａの刃厚Ｔａは、第１及び第２のネット刃４ａ，４ｄの刃厚と一致させてあり、仕上げ用ネット刃４ｂのうち薄桟部２５ｂの部分だけが第１及び第２のネット刃４ａ，４ｄの刃厚よりも薄い構成となっているが、仕上げ用ネット刃４ｂの全体が第１及び第２のネット刃４ａ，４ｄの刃厚よりも薄くなる構成であっても構わない。
【００４２】
上記の刃厚Ｔに設定することで、剃り方向である前後方向に沿って伸びる厚桟部２５ａによって肌が刃孔５を通じて内側に大きく突出することを抑制しながら、剃り方向と直交する左右方向に沿って伸びる薄桟部２５ｂによって体毛を効率的に起こして刃孔５内に導入し易くし、痛みを感じさせることなく短く仕上げることを可能にしている。具体的な寸法としては、刃孔５の前後方向の長さ０．３ｍｍ、左右方向の長さ０．５ｍｍとし、薄桟部２５ｂの刃厚Ｔｂ≦４５μｍとすることが好ましく、ここでは薄桟部２５ｂの刃厚Ｔｂ＝３５μｍ、厚桟部２５ａの刃厚Ｔａ＝６０μｍとしてある。
【００４３】
以下、本発明の特徴部分である肌ガード部材６及びスリット刃４ｃの構成について、更に詳述する。既述の如く、外刃カセット３０の刃面Ｓ上に、第１のネット刃４ａと、仕上げ用ネット刃４ｂと、第２のネット刃４ｄとがこの順に前側から後側へと並設されており、この第１のネット刃４ａと仕上げ用ネット刃４ｂとの間に肌ガード部材６を配するとともに、仕上げ用ネット刃４ｂと第２のネット刃４ｄとの間に、肌ガード部材６と同様に肌をガードする機能を果たすようにスリット刃４ｃを配している。即ち本例にあっては、肌ガード部材６とスリット刃４ｃとによって、一対の肌ガード手段を構成している。
【００４４】
したがって、本例の電気かみそりにあっては、刃面Ｓに備えてある仕上げ用ネット刃４ｂによって体毛を速やかに短く剃ることができるだけでなく、肌ガード手段を成す肌ガード部材６とスリット刃４ｃによって、顎先等の凸部に刃面Ｓを押し当てる場合であっても仕上げ用ネット刃４ｂに肌が強く当たることが防止される。また、第１のネット刃４ａと仕上げ用ネット刃４ｂとの間に肌が入り込むことを肌ガード部材６により防止し、且つ第２のネット刃４ｄと仕上げ用ネット刃４ｂとの間に肌が入り込むことをスリット刃４ｃにより防止することができるので、使用者に痛みを与えることのない良好な肌当たりが得られる。加えて、この両側の肌ガード手段によって仕上げ用ネット刃４ｂの損傷を防止することもできる。なお、肌ガード部材６の上端面は、これを挟むように位置する仕上げ用ネット刃４ｂの上端と第１のネット刃４ａの上端とを結ぶ直線と略平行になるように傾斜させているので（図２等参照）、肌当たりは更に良好なものとなっている。
【００４５】
ここで、上記のように肌ガード部材６は、仕上げ用ネット刃４ｂを固定する外刃枠７ｂと一体に形成されており、この仕上げ用ネット刃４ｂと一体に上下動自在となっている。またスリット刃４ｃについても上記のように上下動自在である。即ち、この肌ガード手段を成す肌ガード部材６及びスリット刃４ｃはいずれも、上方への付勢力を伴って所定の上下範囲内で上下動自在に配されている。これにより、肌ガード手段を成す肌ガード部材６とスリット刃４ｃの肌に対する接触を柔らかにすることができ、肌当たりが更に向上するものである。
【００４６】
特に、肌ガード部材６は仕上げ用ネット刃４ｂと一体に動作するように設けているので、簡素で低コストな構成により肌を効果的に保護することが可能になるとともに、仕上げ用ネット刃４ｂに対する肌の接触を安定的に設けて低刺激化を図ることが可能になっている。
【００４７】
また図６に示すばね機構は、肌ガード手段を成すスリット刃４ｃの沈み込みに連動して仕上げ用ネット刃４ｂの上方への付勢力を低減させるように機能する。即ち、スリット刃４ｃが下方にスライドすれば、連結ばね１９が縮むことで仕上げ用ネット刃４ｂに対して下方に働く弾性力が増加し、結果として仕上げ用ネット刃４ｂに対して上方に働く付勢力が減少する。これにより、先にスリット刃４ｃが押し下げられた場合の仕上げ用ネット刃４ｂの上方への付勢力を低減させて、肌当たりを良くすることができる。
【００４８】
なお、本例にあっては一対の肌ガード手段の一方をスリット刃４ｃにより形成し、これにより肌ガード手段としての機能に加えて、癖毛や長毛を速やかに切断して仕上げ用ネット刃４ｂに導入させ易くするといった機能も発揮できるようにしているが、一対の肌ガード手段の両方を肌ガード部材６としてもよいし、或いは両方をスリット刃４ｃとしてもよい。
【００４９】
一対の肌ガード手段の一方をスリット刃４ｃとするときは、本例のように、使用時に後側に位置させる方の肌ガード手段をスリット刃４ｃとすることが好ましい。このようにすることで、刃面Ｓを手前側から後側に滑らせて鼻下等を剃る場合に、スリット刃４ｃにより切断した体毛を速やかに仕上げ用ネット刃４ｂに導入させることが可能となる。
【００５０】
また、一対の肌ガード手段の一方若しくは両方を、図１３に示すようなローラ４１や、図１４に示すようなコーム４３により形成することも好ましい。ローラ４１は、ピン４２を挿通して該ピン４２回りに回動自在とし、これを取り付けておく。これにより刃面Ｓを滑らせ易くなり、肌当たりが更に良好となる。またコーム４３を取り付けておくことにより、仕上げ用ネット刃４ｂへの癖毛や長毛の導入が容易となる。
【００５１】
以上、刃面Ｓの前側から後側へと向けて、第１のネット刃４ａ、仕上げ用ネット刃４ｂ、スリット刃４ｃ、第２のネット刃４ｄの順に並設されたものについて述べたが、この配列が前後逆となっても構わない。また内刃１５の構成についても、本例のように外刃４の長手方向Ｘに摺動する往復刃に限定されず、外刃４の短手方向Ｙに摺動する回転刃であっても構わない。
【図面の簡単な説明】
【００５２】
【図１】本発明の実施形態における一例の電気かみそりの要部斜視図である。
【図２】同上の電気かみそりの要部側断面図である。
【図３】同上の電気かみそりの全体正面図である。
【図４】同上の電気かみそりの外刃カセットや内刃を示す分解斜視図である。
【図５】同上の電気かみそりの外刃カセットや内刃を外した状態のヘッド部を示す斜視図である。
【図６】同上の電気かみそりのばね構造を示す説明用断面図である。
【図７】同上の電気かみそりのヘッド部を示す側断面図である。
【図８】同上の電気かみそりを用いて顎下を剃る場合を示す説明図である。
【図９】同上の電気かみそりを用いて顎先を剃る場合を示す説明図である。
【図１０】同上の電気かみそりの仕上げ用ネット刃を示す平面図である。
【図１１】同上の電気かみそりの仕上げ用ネット刃を示す要部斜視図である。
【図１２】図１１のＡ−Ａ線断面図である。
【図１３】同上の電気かみそりの肌ガード部材の変形例を示し、（ａ）は分解斜視図、（ｂ）は組立斜視図、（ｃ）は取付状態の説明図である。
【図１４】同上の電気かみそりの肌ガード部材の他の変形例を示し、（ａ）は斜視図、（ｂ）は取付状態の説明図である。
【符号の説明】
【００５３】
１  本体部
４  外刃
４ａ  第１のネット刃
４ｂ  仕上げ用ネット刃
４ｃ  スリット刃
４ｄ  第２のネット刃
５  刃孔
６  肌ガード部材
１５  内刃
１８  モータ
１９  連結ばね
２０  連結ばね
２５  桟部
４１  ローラ
４２  ピン
４３  コーム
Ｓ  刃面
Ｔ  刃厚
Ｗ  刃幅
【図１】
2008142276.tif 000003
【図２】
2008142276.tif 000004
【図３】
2008142276.tif 000005
【図４】
2008142276.tif 000006
【図５】
2008142276.tif 000007
【図６】
2008142276.tif 000008
【図７】
2008142276.tif 000009
【図８】
2008142276.tif 000010
【図９】
2008142276.tif 000011
【図１０】
2008142276.tif 000012
【図１１】
2008142276.tif 000013
【図１２】
2008142276.tif 000014
【図１３】
2008142276.tif 000015
【図１４】
2008142276.tif 000016